(57)【要約】  【課題】エアバッグにより、自動車の前部のフードを迅速に移動させる。  【解決手段】フード３の後端の下方に、折り畳んだエアバッグ21を収納する。エアバッグ21は、隔壁部36により第１の気室41と第２の気室42とに区画する。第１の気室41と第２の気室42とは連通部38のみを介して互いに連通する。車体１と歩行者とが衝突すると、インフレータ22が起動し、エアバッグ21の第１の気室41にガスを供給する。展開の初期には、ガスは第１の気室41に留まり、この第１の気室41を展開させる。この展開の圧力により、フード３の後端部を所定の寸法だけ押し上げ、フード３が変形する空間を確保する。この後、連通部38を介してガスが第２の気室42に供給され、第２の気室42のピラー被覆部46とカウル被覆部とが展開する。  【選択図】図１
2006069349.tif 000002
【特許請求の範囲】
【請求項１】
車両の前部に設けられたフードと、このフードの後方に位置するウインドシールドと、このウインドシールドの両側部を支持するピラー部とを備えた車両の前記フードの後部下方に位置して収納され、ガスが供給されて展開し、前記フードを押圧して上方に移動させるとともに前記ピラー部の少なくとも一部を覆うエアバッグであって、
前記エアバッグは、
ガスが供給されて展開し、前記フードを押圧して移動させる第１の気室と、
この第１の気室を介してガスが供給されて展開し、前記ピラー部の少なくとも一部を覆う第２の気室と、
これら第１の気室と第２の気室とを区画する隔壁部と、
これら第１の気室と第２の気室とを連通し、前記第１の気室から第２の気室へのガスの導入を許容する連通部とを備えた
ことを特徴とするエアバッグ。
【請求項２】
車両の前部に設けられた変形可能なフードと、このフードの後方に位置するウインドシールドと、このウインドシールドの両側部を支持するピラー部とを備えた車両の前記フードの後部下方に位置して配置される請求項１記載のエアバッグと、
このエアバッグにガスを供給するインフレータと、
非乗員との衝突を検出して前記インフレータを動作させる制御手段と、
前記フードの後部を上方に移動可能に支持する支持部と
を具備したことを特徴とする非乗員保護装置。
【請求項３】
支持部は、フードの両側部に位置して設けられ、
エアバッグの第１の気室は、前記支持部同士の間に展開して前記フードを押圧して移動させるフード押動部と、
このフード押動部に連通し、前記支持部よりも後側かつ外側に拡開して展開し車両のカウル部を覆うカウル被覆部とを備えた
ことを特徴とする請求項２記載の非乗員保護装置。
【発明の詳細な説明】
【技術分野】
【０００１】
本発明は、万が一歩行者などの非乗員と車両との衝突が避けられない場合に、衝突した非乗員の保護を図る非乗員保護用のエアバッグ及び非乗員保護装置に関する。
【背景技術】
【０００２】
従来、万が一車両と歩行者との衝突が避けられない場合に、歩行者への衝撃の緩和を図るいわゆる歩行者保護エアバッグを備えた歩行者保護装置が知られている。この歩行者保護装置は、車体前部のフードの後端部を上昇可能に支持するとともに、このフードの後端下方に袋状のエアバッグを折り畳んで収納している。そして、この歩行者保護装置は、車両と歩行者との衝突を検出した際に、ガスを供給してエアバッグを展開させ、このエアバッグでフードの後端部を持ち上げて、はね上げられた歩行者がフードにいわゆる二次衝突した際のフードが変形する空間を確保して衝撃吸収特性を向上するとともに、このエアバッグでフロントガラスの両側のピラー部を覆い、歩行者の頭部などがピラー部に衝突する際の衝撃の緩和を図っている。そして、エアバッグは、展開力でフードを持ち上げる部分の両端部が上側に突設されてピラー部を覆う部分となり、前方から見て略Ｕ字状の袋状に形成されている（例えば、特許文献１参照。）。
【特許文献１】特開２０００−２６４１４６号公報  （第１頁、図３−４）
【発明の開示】
【発明が解決しようとする課題】
【０００３】
上記の歩行者保護装置では、フードの変形の空間を確保し、また、エアバッグのピラー部を覆う部分を持ち上げたフードとカウル部との隙間から円滑迅速に展開させるためには、フードを所定の距離だけ迅速に持ち上げるとともに、持ち上げた位置で安定して保持する必要がある。しかしながら、フードの質量は小さいものではなく、フードを迅速に持ち上げるとともに、一旦持ち上げられたフードが展開過程のエアバッグを押し戻しながら跳ね返ってくることなどを防止するためには、フードを上昇可能に支持する支持機構を複雑な構造とし、あるいは、エアバッグにガスを供給するインフレータの容量を大きくするなどの必要がある問題を有している。
【０００４】
本発明は、このような点に鑑みなされたもので、エアバッグによりフードを迅速に移動させるとともに安定して支持できるエアバッグ及び非乗員保護装置を提供することを目的とする。
【課題を解決するための手段】
【０００５】
請求項１記載のエアバッグは、車両の前部に設けられたフードと、このフードの後方に位置するウインドシールドと、このウインドシールドの両側部を支持するピラー部とを備えた車両の前記フードの後部下方に位置して収納され、ガスが供給されて展開し、前記フードを押圧して上方に移動させるとともに前記ピラー部の少なくとも一部を覆うエアバッグであって、前記エアバッグは、ガスが供給されて展開し、前記フードを押圧して移動させる第１の気室と、この第１の気室を介してガスが供給されて展開し、前記ピラー部の少なくとも一部を覆う第２の気室と、これら第１の気室と第２の気室とを区画する隔壁部と、これら第１の気室と第２の気室とを連通し、前記第１の気室から第２の気室へのガスの導入を許容する連通部とを備えたものである。
【０００６】
そして、この構成では、車両に非乗員が衝突すると、エアバッグの第１の気室にガスが供給され、この第１の気室が展開して、フードを押圧して上方に移動させる。次いで、連通部を介して第１の気室から第２の気室にガスが供給され、第２の気室が展開してピラー部の少なくとも一部を覆う。車両の前部に衝突しはね上げられた非乗員がさらにフードに衝突した際に、フードの変形に要する空間が確保され、衝撃吸収特性が向上する。また、ピラー部の少なくとも一部がエアバッグで覆われ、非乗員がピラー部に衝突する際の衝撃が緩和される。そして、エアバッグの第１の気室と第２の気室とは隔壁部で区画され、連通部を介して第１の気室から第２の気室にガスが導入されるため、展開初期に第１の気室が迅速に展開し、フードを迅速に所定の位置に移動させるとともに、所定の位置に安定して保持することが可能になり、フードの変形による衝撃吸収特性が容易に向上し、非乗員が効果的に保護される。さらに、フードが所定の位置に安定して保持されるため、フードの後端の下方の隙間から他の部材に干渉することなく第２の気室が円滑に展開し、非乗員が効果的に保護される。
【０００７】
請求項２記載の非乗員保護装置は、車両の前部に設けられた変形可能なフードと、このフードの後方に位置するウインドシールドと、このウインドシールドの両側部を支持するピラー部とを備えた車両の前記フードの後部下方に位置して配置される請求項１記載のエアバッグと、このエアバッグにガスを供給するインフレータと、非乗員との衝突を検出して前記インフレータを動作させる制御手段と、前記フードの後部を上方に移動可能に支持する支持部とを具備したものである。
【０００８】
そして、この構成では、請求項１記載のエアバッグを備えたため、車両に非乗員が衝突した際に、フードを迅速に所定の位置に移動させるとともに安定して支持し、車両に衝突した非乗員がフードの変形とピラー部を覆うエアバッグとにより効果的に保護される。
【０００９】
請求項３記載の非乗員保護装置は、請求項２記載の非乗員保護装置において、支持部は、フードの両側部に位置して設けられ、エアバッグの第１の気室は、前記支持部同士の間に展開して前記フードを押圧して移動させるフード押動部と、このフード押動部に連通し、前記支持部よりも後側かつ外側に拡開して展開し車両のカウル部を覆うカウル被覆部とを備えたものである。
【００１０】
そして、この構成では、支持部同士の間に展開するフード押動部でフードを押圧してフードが迅速に移動されるとともに、このフード押動部から外側に拡開してカウル被覆部がカウル部を覆い、非乗員とカウル部に設けられた部材との衝突を防止して、乗員が効果的に保護される。
【発明の効果】
【００１１】
本発明によれば、エアバッグの第１の気室と第２の気室とを隔壁部で区画し、連通部を介して第１の気室から第２の気室にガスを導入するため、展開初期に第１の気室を迅速に展開させ、フードを迅速に所定の位置に移動できるとともに、所定の位置に安定して保持でき、フードの変形による衝撃吸収特性が容易に向上でき、非乗員を効果的に保護できる。さらに、フードを所定の位置に安定して保持できるため、フードの後端の下方の隙間から他の部材に干渉することなく第２の気室を円滑に展開させ、ピラー部の少なくとも一部をエアバッグで覆って、非乗員を効果的に保護できる。
【発明を実施するための最良の形態】
【００１２】
以下、本発明のエアバッグ及び非乗員保護装置の一実施の形態を図面を参照して説明する。
【００１３】
図１及び図２において、１は車両である自動車の車体で、この車体１には、前部のエンジンルーム２を覆うフード３と、エンジンルーム２の後方に位置する車室４を覆うウインドシールドとしてのフロントガラス５と、これらエンジンルーム２と車室４との間のカウル部７を覆うカウルトップカバー８となどが取り付けられているとともに、フード３の後端下方などに位置して、非乗員保護装置である歩行者保護装置10が備えられている。なお、以下、前方（矢印Ｆ方向）、上方（矢印Ｕ方向）、及び両側方向（矢印Ｗ方向）などの方向は、車体１の直進方向を基準として説明する。
【００１４】
そして、フード３は、ボンネットフードあるいはフロントフードなどとも呼ばれるもので、車体１の前部に設けられ、１枚あるいは複数枚の金属板などから形成されているとともに、いわゆる歩行者傷害軽減ボディを構成し、歩行者が衝突した際に、容易に変形して衝撃を吸収するようになっている。また、このフード３は、後端部近傍の両側部に設けたヒンジ機構である一対の支持部12を支点すなわち回転軸として開閉可能に設けられているとともに、歩行者保護装置10の動作時には、各支持部12がフード３の後端部を所定の距離だけ上昇可能に支持するようになっている。
【００１５】
また、フロントガラス５は、両側部がピラー部としてのＡピラー14により支持されているとともに、前端部近傍の下面が、シール部15を介してカウルトップパネル16により支持されている。
【００１６】
さらに、カウル部７は、エアボックスなどとも呼ばれるもので、カウルトップパネル16とこのカウルトップパネル16の前方に位置する車体パネル17との間に上側を開口した樋状に設けられ、この開口を覆ってカウルトップカバー８が取り付けられている。そして、このカウル部７に、ワイパーを駆動するモータなどが配置されているとともに、空調装置の空気取入部などが接続されている。また、カウルトップカバー８は、後端部がフロントガラス５に嵌合して支持されているとともに、前側部は車体パネル17に設けられた支持台部18上に支持されている。
【００１７】
また、歩行者保護装置10は、いわゆる歩行者保護エアバッグ装置であり、車体１の前側であるフード３の後端部の下方のカウル部７に折り畳んで収納した袋状のエアバッグ21を備えている。そして、このエアバッグ21にガスを供給して展開させることにより、フード３の後端部を持ち上げてフード３の下方に変形領域を確保し、フード３の衝撃吸収特性を向上するとともに、展開したエアバッグ21でカウル部７の上面とＡピラー14の前面の少なくとも一部を覆うようになっている。すなわち、この歩行者保護装置10は、エアバッグ21と、このエアバッグ21にガスを供給するインフレータ22と、これらエアバッグ21及びインフレータ22を固定するリテーナ24と、これら部材を収納するケース25と、図示しない制御装置とを備えている。
【００１８】
そして、エアバッグ21は、２枚の基布の外周部同士を外周縫合線31で縫い合わせて外殻とした袋状に形成され、全体として、両側方向に延びる基部33と、この基部33の両側方向の端部から突設された突設部34とで略Ｕ字状をなしている。さらに、この外殻の内側には、基部33の長手方向に沿って、基布にて形成された隔壁部36が外殻を構成する各基布に内側縫合線37で縫い合わされている。また、この隔壁部36の両端部近傍には、円孔状などをなす通気部である連通部38が形成されている。そして、この隔壁部36により、エアバッグ21の内側の、本実施の形態では基部33が、連通部38を除いて、第１の気室41と、第２の気室42とに略気密に区画されている。言い換えれば、第１の気室41と、第２の気室42とは、連通部38のみで互いに連通するように形成されている。
【００１９】
そして、第１の気室41は、展開時に少なくとも一部がフード３の下側に位置する前側の気室であり、フード３を押し上げるフード押動部43と、このフード押動部43の後側に連通するカウル被覆部44とを備え、この第１の気室41には、インフレータ22とリテーナ24とが両側に対をなして収納されている。また、第１の気室41は、全体としては、前後方向の寸法が略一定で両側方向を長手方向として形成されているが、両側の端部は、連通部38すなわち第２の気室42に向かって拡開する傾斜面45として形成されている。すなわち、図２に示すように、ガスＧが第１の気室41から第２の気室42に流れる部分において、第１の気室41の前側の辺と傾斜面45とのなす角度θについて、直角より大きく（θ＞９０）設定している。すなわち、フード押動部43からカウル被覆部44に向けて両側方向の寸法が拡開し、フード押動部43よりも第１の気室41のカウル被覆部44の幅寸法が大きく形成されている。さらに、この傾斜面45は、第２の気室42の両側部に滑らかに連続し、第１の気室41のカウル被覆部44よりも、第２の気室42の幅寸法が大きくなるように形成されている。そして、第２の気室42は、第１の気室41の後側に位置する後側の気室であり、各突設部34で構成されるピラー被覆部46と、基部33の上側部であるカウル被覆部47とで構成されている。また、図示しないが、これらの基布には、必要に応じて、防炎布などとも呼ばれる補強布が重ねて縫い合わされている。
【００２０】
また、各インフレータ22は、ガス発生器であり、略円柱状の本体部22aを備えるとともに、この本体部22aの一端側にガス噴射部22bが設けられている。そして、このインフレータ22は、図示しないコネクタに点火信号が供給されることにより、内部に充填した推進薬を反応させ、あるいは、内部のボンベに貯留したガスを開放などして、ガス噴射部22bの周面に設けた複数の孔部からガスを噴射する。なお、この実施の形態では、２本のインフレータ22は、ガス噴射部22bが互いに反対側を向くように配置されている。
【００２１】
また、リテーナ24は、金属板を折曲などして形成したリテーナ本体部49と、このリテーナ本体部49に固定されたボルト50とを備えたインフレータ固定具である。そして、リテーナ本体部49は、インフレータ22を固定するとともに、ガス噴射部22bから噴射されたガスを案内するようになっている。また、ボルト50には、ナット51が螺合するようになっている。
【００２２】
さらに、ケース25は、上側を開口した溝状をなすケース本体部54と、このケース本体部54の上側の開口を覆う蓋部55とを備えている。そして、本実施の形態では、ケース本体部54は、カウルトップカバー８と一体に形成されている。一方、蓋部55は、カウルトップカバー８とは別体で、長手方向に沿って弱部である破断可能な破断部としてのテアライン56が形成されている。
【００２３】
また、各インフレータ22のコネクタには、ハーネスを介して、図示しない制御装置に接続されている。この制御装置は、ＣＰＵなどを備えるとともに、検出手段である複数のセンサを備え、歩行者と車体１との衝突を検出して、各インフレータ22を作動させる。
【００２４】
また、支持部12は、ケース25の両側すなわち折り畳んで収納されたエアバッグ21の両側に位置して、車体パネル17側とフード３の後端部近傍とを接続している。そして、各支持部12は、例えば、細長い２枚の金属板のリンク軸の一端同士を軸部で回動可能に接続するとともに、一方のリンク軸の他端を車体パネル17側に接続し、他方のリンク軸の他端をフード３側に接続して構成されている。そして、通常のフード３の開閉時には、支持部12の軸部が回転軸となってフード３の前端部が上方に回動する。一方、歩行者保護装置10が作動してフード３の後端部に上方に向かう力が加わった際は、軸部が回転するとともに各リンク軸の他端が回転軸となって回動し、フード３の後端部を所定の寸法、例えば５cm程度上方に移動し、前端側を支点として回動できるようになっている。
【００２５】
そして、この歩行者保護装置10の組立工程は、インフレータ22とリテーナ24とを組み合わせた組立体をエアバッグ21の第１の気室41に挿入するとともに、リテーナ24のボルト50をエアバッグ21の外側に引き出した上、エアバッグ21を所定の形状に折り畳む。そして、折り畳んだエアバッグ21をケース本体部54に挿入するとともに、ボルト50をカウルトップカバー８及び車体パネル17の支持台部18に貫通させ、支持台部18の下側からボルト50にナット51を螺合して締め付ける。すると、リテーナ24により、車体パネル17の支持台部18に、カウルトップカバー８とともに、エアバッグ21の前側の端部及びインフレータ22が固定される。そして、ケース本体部54の上側の開口部を覆い、蓋部55を取り付けるとともに、インフレータ22と制御装置をハーネスで電気的に接続することにより、図１（a）に示すように、歩行者保護装置10が構成される。
【００２６】
次に、この歩行者保護装置10の動作を説明する。
【００２７】
まず、図１（a）に示すように、折り畳んだエアバッグ21をケース25に収納した状態で、制御装置が車体１の前部と歩行者との衝突を検出すると、制御装置は、信号すなわち電力を供給して、インフレータ22を起動させる。すると、このインフレータ22は、ガス噴射部22bからガスＧを供給する。この時、エアバッグ21の内側は、隔壁部36により第１の気室41と第２の気室42とに区画されており、これら第１の気室41と第２の気室42とは通気抵抗の大きい連通部38のみを介して互いに連通しているとともに、インフレータ22は第１の気室41に配置されているため、展開の初期の状態では、図１（b）に示すように、インフレータ22から供給されたガスＧは第１の気室41に留まり、この第１の気室41を展開させる。そして、この展開の圧力により、フード３の後端部を所定の寸法だけ押し上げる。この状態で、第１の気室41のフード押動部43によりフード３とエンジンルーム２内の部材との間に隙間が確保されるとともに、第１の気室41のカウル被覆部44によりカウル部７の一部が覆われる。
【００２８】
さらに、第１の気室41が十分に展開した状態で、両側方向の両端部近傍に設けた連通部38を介してガスＧが第１の気室41から第２の気室42に供給され、図１（c）に示すように、第２の気室42のピラー被覆部46とカウル被覆部47とが展開する。そして、ピラー被覆部46によりＡピラー14の一部あるいは全部が覆われるとともに、カウル被覆部47にカウル部７のワイパー及びフロントガラス５の下端部などが覆われる。
【００２９】
このとき、第１の気室41と第２の気室42とを仕切る隔壁部36がエアバッグ21の展開時の高さ寸法を規制し、図１（c）に示すように、フード３の後端部の下方に位置して、展開したエアバッグ21にくびれ部Ｎが形成される。すなわち、図１（b）では、フード３の後端部のほぼ真下に位置してくびれ部Ｎが形成され、隔壁部36より前方Ｆの第１の気室41が膨出してフード３を上方に押し上げる。一方、第２の気室42の基部はくびれ部Ｎに位置し、フード３とは間隔が確保され、フード３からの実質的な影響を受けずに、図１（c）に示すような円滑な展開が可能になる。
【００３０】
なお、このくびれ部Ｎの位置は、フード３の後端部に対応する位置に一致させる他、例えば図１（c）の寸法ｄに示すように、フード３の後端部に対応する位置の近傍で若干前方Ｆに位置させることが望ましい。すなわち、フード３の後端部に対応する位置よりいくらか前方Ｆでは、フード３の押し上げ箇所に対するエアバッグ21の高さ寸法すなわち第１の気室41の頂部高さよりも、後端部より少し前方Ｆのエアバッグ21の高さ寸法すなわち隔壁部36付近のエアバッグ21の高さ寸法が小さくなるので、くびれ部Ｎはフード３の下端より少し前方に位置する。すなわち、ピラー被覆部46の展開の始点は、フード３の下端より少し前方で、エアバッグ21により持ち上げられたフード３の後端部から離間した状態となる。一方、隔壁部36を設けず、くびれ部Ｎが形成されない場合は、図１（b）及び（c）に想像線Ｘで示すように、エアバッグ21はフード３の下側からＡピラー14側に向けて、フード３との間に空間は形成されずに、フード３の下面の形状に沿って膨出するため、フード３の下面の形状に展開特性が影響を受け、展開特性の調整が容易でなくなる。これに対して、隔壁部36を設け、エアバッグ21の展開時にくびれ部Ｎを形成することにより、後方に延設されるエアバッグ21のピラー被覆部46を円滑かつ容易、迅速に展開できる。
【００３１】
そして、このようにエアバッグ21が展開した状態で、はね上げられるなどした歩行者がフード３に衝突すると、フード３は十分なストロークを持って変形し、所定の衝撃吸収特性を発揮し、歩行者に対する衝撃を緩和する。さらに、第２の気室42によりＡピラー14やカウル部７の凹凸のある部材などが覆われ、これら部材と歩行者との衝突を回避し、歩行者を保護するようになっている。
【００３２】
また、エアバッグ21は、第１の気室41のフード押動部43が両側の支持部12同士の間に位置し、第１の気室41のカウル被覆部44及び第２の気室42は、第１の気室41の後方に位置するとともに、支持部12より側方に膨出するようにして展開する。
【００３３】
このように、本実施の形態によれば、自動車のカウル部７に配置されるいわゆる歩行者保護エアバッグ（歩行者用エアバッグ）において、エアバッグ21の内側を単一の気室とはせずに仕切を設けて複数の気室を設け、本実施の形態では、エアバッグ21の内側に隔壁部36を設け、フード３を持ち上げる第１の気室41と、Ａピラー14及びフロントガラス５の下端部を含むカウル部７を覆う第２の気室42とを区画したため、エアバッグ21が十分な圧力で迅速にフード３を持ち上げるとともに、第２の気室42から第１の気室41にガスが戻りにくくなり、圧力を保持したエアバッグ21により持ち上げたフード３の位置を安定して保持することができ、フード３の跳ね返りなどを抑制できる。さらに、迅速かつ安定してフード３を持ち上げることができるため、フード３の後端部とこのフード３の下方のカウルトップカバー８との間に安定して隙間を確保でき、すなわち、十分に持ち上げられたフード３の下方の隙間から、周辺の部材に干渉することなく、迅速かつ円滑に第２の気室42を展開して、Ａピラー14やフロントガラス５の下端部を含むカウル部７を覆うことができる。
【００３４】
また、第１の気室41のフード押動部43は、両側の支持部12同士の間の比較的両側方向Ｗの寸法が小さい空間で展開し、第１の気室41のカウル被覆部44及び第２の気室42は、フード押動部43よりも両側方向Ｗの寸法が大きい空間で展開するが、第１の気室41の側部は、後方に向かって外側に拡開する傾斜面45としたため、図２に示すように、第１の気室41内及び第１の気室41から第２の気室42にかけて円滑にガスが流れるとともに、支持部12がエアバッグ21の展開に干渉せず、支持部12より外側の部分についても円滑かつ迅速に展開させることができる。すなわち、両側の支持部12同士の間に位置する部分について、エアバッグ21の両側方向Ｗの寸法を支持部12同士の間の寸法よりも大きくすると、エアバッグ21の展開時にエアバッグ21と支持部12とが干渉し、所望の展開特性の実現が困難になる。また、エアバッグ21の両側辺を階段状などに形成すると、エアバッグ21内でのガスの流れに乱れが生じやすく、所望の展開特性の実現が困難になる。
【００３５】
なお、上記の実施の形態では、各突設部34すなわち、各ピラー被覆部46は、エアバッグ21を平面上に広げた状態で、先端側が互いに若干接近する方向に傾斜しているが、この構成に限られず、基部33に対して略垂直に配置し、あるいは、図３に示すように、先端側から外側に拡開するように傾斜させることもできる。また、本実施の形態では、連通部38は、隔壁部36に形成した複数の円孔で構成され、各円孔は、一部がピラー被覆部46に向かい、他がカウル被覆部47に向かうように形成したが、スリット状など他の形状などを採ることもできる。
【００３６】
また、上記の実施の形態では、隔壁部36は、基本的には１枚の基布を基部33の前後方向の中間位置で両側方向Ｗに沿ってほぼ全長にわたって配置して構成したが、この構成に限られず、複数枚の基布で構成し、あるいは、基部33と複数の突設部34との境界部分にそれぞれ隔壁部36を設けることももできる。例えば、図４に示すように、突設部34の基端部、すなわち基部33と２カ所の突設部34との境界部分に、それぞれ所定の幅寸法の基布を配置し、この基布をエアバッグ21の外殻を構成する各基布に縫合線60で縫い合わせて、ガスの流入規制とエアバッグ21の展開時の高さ寸法規制とを行う隔壁部61を構成し、これら隔壁部61と外殻を構成する各基布との隙間を、それぞれガスが流れる連通部62とすることができる。そして、この構成では、隔壁部61の前側である第１の気室41に、フード押動部43とカウル被覆部44とが連続して構成されるとともに、隔壁部61の後側には、ピラー被覆部46のみが構成されている。
【００３７】
さらに、上記の各実施の形態において、エアバッグ21内の気室にガスの流れを案内するガス案内手段を設け、所望の展開特性を実現することもできる。例えば、図５に示すように、エアバッグ21の第１の気室41に、幅広な基布製のパネルを配置し、エアバッグ21の外殻を構成する各基布に縫い合わせてガス案内手段66を形成し、ガスを連通部62に案内することもできる。
【産業上の利用可能性】
【００３８】
本発明は、前部にフードを備えた車両に適用できる。
【図面の簡単な説明】
【００３９】
【図１】本発明の非乗員保護装置の一実施の形態を示す説明図であり、（a）はエアバッグの展開前、（b）はエアバッグの展開初期、（c）は（b）に続く状態である。
【図２】同上非乗員保護装置の説明図である。
【図３】本発明の非乗員保護装置の他の実施の形態を示す説明図である。
【図４】本発明の非乗員保護装置のさらに他の実施の形態を示す説明図である。
【図５】本発明の非乗員保護装置のさらに他の実施の形態を示す説明図である。
【符号の説明】
【００４０】
３    フード
５    ウインドシールドとしてのフロントガラス
７    カウル部
10    非乗員保護装置としての歩行者保護装置
12    支持部
14    ピラー部としてのＡピラー
21    エアバッグ
22    インフレータ
36    隔壁部
38    連通部
41    第１の気室
42    第２の気室
43    フード押動部
44    カウル被覆部
【図１】
2006069349.tif 000003
【図２】
2006069349.tif 000004
【図３】
2006069349.tif 000005
【図４】
2006069349.tif 000006
【図５】
2006069349.tif 000007